(57)【要約】      （修正有）【課題】吊掛具の着脱する操作が軽く操作感が良好な吊掛装置を提供する。【解決手段】吊掛装置は、天井に取り付けられる支持具１に、吊掛具を着脱可能に取り付けて使用するものであり、支持具１は、略円盤状で上面を開口させて収納部８を設けてあり、その底面中央に円形の挿入孔９を設け、さらにその外側に円形で小さい操作孔を設けてある。また、支持具１の外周縁内面には、当受部２９・３０及び取付孔２３・２３をそれぞれ相対向するように設けてある。支持具１の収納部８には、抜止具２、駆動具３及び振り分けばねが収納されている。【選択図】図６
2015039520.tif 000002
【特許請求の範囲】
【請求項１】
天井に取り付けられる支持具に、吊掛具を支持できるよう構成した吊掛装置において、吊掛具には、一端部に挿入部を設けると共に、他端部に引掛部を設け、挿入部には係動部を設けて成り、支持具は、収納部を有し下面に挿入孔を設け、収納部には、駆動具と抜止具を収納し、駆動具は、挿入孔とほぼ一致するよう受入孔部を設け、その受入孔部の内部には、吊掛具の係動部が係合して回動される係受部を設けると共に、外周には主動部を設けて成り、抜止具は、吊掛具の挿入部が通過可能な通過孔と通過不可能な係合孔を連通して設けると共に、駆動具の主動部によって回動される従動部を設け、支持具に挿入孔を挟んで従動部と反対側に回動可能に軸支されるように構成し、吊掛具の挿入部を支持具の挿入孔から挿入して、挿入部の係動部を駆動具の受入孔部の係受部に係合させて、吊掛具を回動すると、駆動具が回動し、その主動部が抜止具の従動部を回動させて、挿入孔の位置に係合孔が移動し、挿入部が抜け止めされて、吊掛具が支持具に支持されるよう構成したことを特徴とする吊掛装置。
【発明の詳細な説明】
【技術分野】
【０００１】
本発明は、主に、室内の天井に取り付けて、物干具や観葉植物等を吊り下げて使用する吊掛装置に関するものである。
【背景技術】
【０００２】
従来より、天井に取り付けられる支持具に吊掛具を着脱可能に取り付けて成る吊掛装置は、特公平７−１１０２５４号公報（従来例）に記載された発明等多数提案されているし、市販もされている。
【０００３】
上記従来例の第三の実施例においては、吊掛具１９によりピニオンギアである伝達具２６を回動し、ラックギアである抜止具２５を直線移動させて、吊掛具１９を着脱するものである。
【先行技術文献】
【特許文献】
【０００４】
【特許文献１】特公平７−１１０２５４号公報
【発明の概要】
【発明が解決しようとする課題】
【０００５】
通常、吊掛具を着脱するのに、抜止具の必要な移動距離は少ないものであり、上記従来例においては、吊掛具１９の回動距離と抜止具２５の直線移動距離が同じなので、吊掛具１９は回動角度が小さすぎて、操作した感覚が悪かったり、小さい角度で動かすので、振り分けばねの力や抜止具の摩擦抵抗等により操作が重くなってしまうという問題があり、本発明は、この問題を解決し、吊掛具の着脱する操作が軽く操作感が良好な吊掛装置を提供することを課題としている。
【課題を解決するための手段】
【０００６】
本発明は、上記課題を解決するものであり、天井に取り付けられる支持具に、吊掛具を支持できるよう構成した吊掛装置において、吊掛具には、一端部に挿入部を設けると共に、他端部に引掛部を設け、挿入部には係動部を設けて成り、支持具は、収納部を有し下面に挿入孔を設け、収納部には、駆動具と抜止具を収納し、駆動具は、挿入孔とほぼ一致するよう受入孔部を設け、その受入孔部の内部には、吊掛具の係動部が係合して回動される係受部を設けると共に、外周には主動部を設けて成り、抜止具は、吊掛具の挿入部が通過可能な通過孔と通過不可能な係合孔を連通して設けると共に、駆動具の主動部によって回動される従動部を設け、支持具に挿入孔を挟んで従動部と反対側に回動可能に軸支されるように構成し、吊掛具の挿入部を支持具の挿入孔から挿入して、挿入部の係動部を駆動具の受入孔部の係受部に係合させて、吊掛具を回動すると、駆動具が回動し、その主動部が抜止具の従動部を回動させて、挿入孔の位置に係合孔が移動し、挿入部が抜け止めされて、吊掛具が支持具に支持されるよう構成したことを特徴とする吊掛装置である。
【発明の効果】
【０００７】
以上のように本発明によれば、抜止具は、吊掛具によって回動される駆動具の主動部によって回動される従動部を設け、抜止具を支持具に、挿入孔を挟んで従動部と反対側に回動可能に軸支されるように構成したので、駆動具を大きく回動して抜止具を小さく回動させることになり、直線摺動に比べて吊掛具によって駆動具を軽い力で回動させることができ、また、ほどよい回動角度を必要とし操作感が良好となるという効果がある。
【図面の簡単な説明】
【０００８】
【図１】使用状態を示す正面図。
【図２】吊掛具が吊り下げられている状態の支持具内部の平面図。
【図３】吊掛具が吊り下げられていない状態の支持具内部の平面図。
【図４】吊掛具が吊り下げられている状態のＡ−Ａ線断面図。
【図５】吊掛具が吊り下げられていない状態のＢ−Ｂ線断面図。
【図６】上から見た全体の分解斜視図。
【図７】下から見た全体の分解斜視図。
【実施例１】
【０００９】
本発明の吊掛装置は、天井に取り付けられる支持具１に、吊掛具７を着脱可能に取り付けて使用するものであり、支持具１は、略円盤状で上面を開口させて収納部８を設けてあり、その底面中央に円形の挿入孔９を設け、さらにその外側に円形で小さい操作孔１０を設けてある。また、支持具１の外周縁内面には、当受部２９・３０及び取付孔２３・２３をそれぞれ相対向するように設けてある。支持具１の収納部８には、抜止具２、駆動具３及び振り分けばね６が収納されている。
【００１０】
抜止具２は、略扇型で、扇のかなめ部に軸部１４を設け、先端には、円弧状部を立ち上げてその内側に歯車状の従動部１３を設け、中間部には、大きい直径寸法の円形状の通過孔１１を設け、この通過孔１１に続いて小さい直径寸法の円形状の係合孔１２を連設してだるま状の孔を設けてある。また、従動部１３の外側には、振り分けばね６の一端が取り付けられるようになっている。さらに、軸部１４の下面には、プラスドライバーが係合するプラス孔２２を設けてある。抜止具２は、その側面が支持具１の当受部２９・３０にそれぞれ当接する範囲内で、軸部１４を中心として回動できるようになっている。
【００１１】
駆動具３は、略円筒状で上部に鍔部２６を設け、中央の円形の貫通孔を受入孔部１５とし、その受入孔部１５の上部内周には凹凸状の係受部１６を設け、鍔部２６下部の外周の一部に従動部１３と噛み合う歯車状の主動部１７を設けてある。さらに、鍔部２６の一部を切り欠いて、その両端面を当接面２７・２８としてある。
【００１２】
カバー４は、支持具１の挿入孔９に対応するところに円形孔（符号なし）が設けられており、支持具１に下面から全体を覆うように取り付けられる。
【００１３】
裏蓋５は、取付孔２３・２３に対応する部分を切り欠いた略円板状で、内面側に、駆動具３を回動可能に遊嵌する円筒状の回動受部２４と、抜止具２を回動可能に遊嵌する円筒状の軸受部２５を設け、さらに、回動受部２４の内周面には、内方に突出する当受突起３１を設けてあり、４本の取付脚（符号なし）で支持具１の開口に被せて取り付けられるものである。当受突起３１には駆動具３の当接面２７・２８が当接する。
【００１４】
吊掛具７は、シャフト１８の上端部に略半球状の挿入部２０を、下端部にリング状の引掛部１９を設けて成り、挿入部２０の上部円周には、駆動具３の係受部１６と係合する凹凸状の係動部２１を設けてある。
【００１５】
組立方を説明する。抜止具２を支持具１の収納部８に収納して、軸部１４を操作孔１０に遊嵌し、通過孔１１が挿入孔９に対応するよう一方の当受部２９に当接する角度にして、振り分けばね６を支持具１と抜止具２にそれぞれ取り付ける。その後、駆動具３を、主動部１７が従動部１３に噛み合うようにして抜止具２の上に配置し、裏蓋５を、軸受部２５を抜止具２の軸部１４に遊嵌すると共に、回動受部２４を駆動具３の鍔部２６に遊嵌し、当接突起３１が一方の当接面２７に当接するようにして取付脚（符号なし）で被着し、取付孔２３・２３から取付ねじで天井に取り付けて、カバー４を支持具１の表面に被着すれば完了である。
【００１６】
使用方法を説明する。抜止具２の一側面が支持具１の当受部２９に当接すると共に、駆動具３の当接面２７が裏蓋５の当受突起３１の一側面に当接し、抜止具２の通過孔１１が支持具１の挿入孔９に位置している状態から、吊掛具７の挿入部２０を支持具１の挿入孔９から駆動具３の受入孔部１５に挿入し、それぞれの係動部２１と係受部１６を噛み合わせて、下面視で右に回動すると、駆動具３も右に回動し、その主動部１７が抜止具２の従動部１３を動かして、抜止具２が振り分けばね６の力に抗して右に回動し、抜止具２の他側面が支持具１の当受部３０に当接すると共に、駆動具３の当接面２８が裏蓋５の当受突起３１の他側面に当接し、抜止具２の係合孔１２が支持具１の挿入孔９に位置し、挿入孔９の一部が塞がれた状態になり、手を放すと、吊掛具７は少し下がって係動部２１と係受部１６の噛み合いが外れ、吊掛具７の挿入部２０が係合孔１２の周縁に当接して抜け止めされ、吊掛具７が支持具１に吊り下げられた使用状態となる。
【００１７】
そして、この使用状態から、吊掛具７を少し持ち上げて、係動部２１と係受部１６を噛み合わせ、下面視で上記と逆の左に回動すると、駆動具３も左に回動し、その主動部１７が抜止具２の従動部１３を動かして、抜止具２が振り分けばね６の力に抗して左に回動し、抜止具２の一側面が支持具１の当受部２９に当接すると共に、駆動具３の当接面２７が裏蓋５の当受突起３１の一側面に当接し、抜止具２の通過孔１１が支持具１の挿入孔９に位置し、吊掛具７を下方へ移動させて支持具１から取り外すことができる。
【００１８】
従動部１３を動かす主動部１７を設けた駆動具３が、支持具１に挿入孔９を挟んで抜止具２の従動部１３と反対側に回動可能に軸支されるように構成されているので、駆動具３を大きく回動して抜止具２を小さく回動させることになり、直線摺動に比べて吊掛具７によって駆動具３を軽い力で回動させることができ、また、ほどよい回動角度を必要とし操作感が良好となる。なお、本実施例においては、駆動具３の回動角度は７７度に対し、抜止具２の角度は２３度である。
【００１９】
なお、本発明の吊掛装置は、組み立てられた初期状態においては、抜止具２の通過孔１１が支持具１の挿入孔９に位置する状態としてあるが、落下する等して万が一、抜止具２が振り分けばね６の力に抗して回動して、抜止具２の係合孔１２が支持具１の挿入孔９に位置する状態となってしまった場合、吊掛具７の挿入部２０が支持具１の挿入孔９から挿入できない事態となる。この時に、支持具１の操作孔１０からプラスドライバーをプラス孔２２に係合させて、下面視で左に回動すれば、抜止具２は左に回動し、抜止具２の通過孔１１が支持具１の挿入孔９に位置する初期状態に戻すことができるものである。また、この支持具１の操作孔１０は、カバー４を支持具１の表面に被着すると見えなくなるようになっている。
【符号の説明】
【００２０】
１    支持具
５    吊掛具
６    閉塞具
８    収納部
９    挿入孔
１０    係合孔
１８    挿入孔閉塞部
１９    係合孔閉塞部
２６    挿入部
２８    引掛部
【図１】
2015039520.tif 000003
【図２】
2015039520.tif 000004
【図３】
2015039520.tif 000005
【図４】
2015039520.tif 000006
【図５】
2015039520.tif 000007
【図６】
2015039520.tif 000008
【図７】
2015039520.tif 000009
【手続補正書】
【提出日】平成25年8月30日(2013.8.30)
【手続補正１】
【補正対象書類名】明細書
【補正対象項目名】００２０
【補正方法】変更
【補正の内容】
【００２０】
１    支持具
２    抜止具
３    駆動具
７    吊掛具
８    収納部
９    挿入孔
１１    通過孔
１２    係合孔
１３    従動部
１５    受入孔部
１６    係受部
１７    主動部
１９    引掛部
２０    挿入部
２１    係動部
【手続補正書】
【提出日】平成25年10月2日(2013.10.2)
【手続補正１】
【補正対象書類名】明細書
【補正対象項目名】０００８
【補正方法】変更
【補正の内容】
【０００８】
【図１】使用状態を示す正面図。
【図２】吊掛具が吊り下げられている状態の支持具内部の平面図。
【図３】吊掛具が吊り下げられていない状態の支持具内部の平面図。
【図４】吊掛具が吊り下げられている状態の要部縦断面図。
【図５】吊掛具が吊り下げられていない状態の要部縦断面図。
【図６】上から見た全体の分解斜視図。
【図７】下から見た全体の分解斜視図。